(57)【要約】【課題】室内を通して密集敷設されたケーブルの検知を容易にできる的確なシステムとシステムに用いるタグ装置を提供する。【解決手段】ケーブル検知用の光ファイバ２を各ケーブル７に取り付けて垂らし、光ファイバ２には光ファイバ２に通される光を拡散させて光ファイバ外部に発する拡散光発生傷３を複数形成し、各光ファイバ先端の光導入部４にはタグ装置１を接続する。外部から各タグ装置１に向けて発信される赤外線信号を受けて光起電力動作部８が光起電力動作を行い、この電力でもって、例えば赤外線信号の光発信指令に対応するタグ装置１ｂのみが光発信部１１から光を発信し、該タグ装置１に接続された光ファイバ２に選択的に光を通すことにより、該光ファイバ２に形成された拡散光発生傷３から発せられる拡散光をガイドとして光導入部４からケーブル７への取り付け部まで辿ることにより検知対象ケーブル７を検知する。【選択図】図２
2007286558.tif 000002
【特許請求の範囲】
【請求項１】
室内を通して密集敷設されている複数のケーブルのそれぞれに対応させて、ケーブル検知用の光ファイバを取り付けて垂らし、該光ファイバには該光ファイバに通される光を拡散させて光ファイバ外部に発する拡散光発生傷を垂らした光ファイバの長手方向に間隔を介して複数または連続的に形成し、前記光ファイバの垂らした先端部は検索光の光導入部と成し、各ケーブルから垂らされた各光ファイバにはそれぞれ対応するケーブルの識別をする識別手段を設け、検知対象ケーブルに対応する光ファイバの光導入部から該光ファイバに選択的に光を通すことにより該光ファイバに形成された拡散光発生傷から発せられる拡散光をガイドとして前記光導入部から前記ケーブルへの取り付け部まで辿ることにより該光ファイバが取り付けられている前記検知対象ケーブルの検知を可能とすることを特徴とするケーブル検知システム。
【請求項２】
室内を通して密集敷設されている複数のケーブルのそれぞれに対応させて、ケーブル検知用の光ファイバを取り付けて垂らし、該光ファイバには該光ファイバに通される光を拡散させて光ファイバ外部に発する拡散光発生傷を垂らした光ファイバの長手方向に間隔を介して複数または連続的に形成し、前記光ファイバの垂らした先端部は検索光の光導入部と成し、各ケーブルから垂らされた各光ファイバにはそれぞれタグ装置を接続し、それぞれのタグ装置には、前記光ファイバに通す検索光を発信する光発信部と、該タグ装置の外部から該タグ装置に向けて発信される赤外線信号を受けて光起電力動作を行う光起電力動作部と、タグ装置に接続された光ファイバが取り付けられているケーブルの識別データを格納するメモリ部と、該メモリ部に格納された識別データに基づきタグ装置が前記赤外線信号の検索光発信指令に対応するときには前記光起電力動作部の起電力によって前記光発信部を作動させる光発信制御部とが設けられており、前記赤外線信号の光発信指令を受けたタグ装置の光発信部からのみ光を発信して該タグ装置に接続された光ファイバの光導入部から光を導入し、該光ファイバに選択的に光を通すことにより該光ファイバに形成された拡散光発生傷から発せられる拡散光をガイドとして前記光導入部から前記ケーブルへの取り付け部まで辿ることにより該光ファイバが取り付けられている前記検知対象ケーブルの検知を可能とすることを特徴とするケーブル検知システム。
【請求項３】
タグ装置の光発信部は、赤色の光を発信する赤色発光ダイオードと青色の光を発信する青色発光ダイオードと緑色の光を発信する緑色発光ダイオードのうち少なくとも２つの発光ダイオードを有し、赤外線信号には検索光を発信するタグ装置と該タグ装置の光発信部から発信する検索光色とを指定する検索光発信指令を乗せて発信し、該赤外線信号の検索光発信指令と前記タグ装置のメモリ部に格納された識別データとに基づき前記検索光発信指令に対応するタグ装置の光発信部の対応する色の発光ダイオードを光発信制御部が作動させて対応する色の検索光を対応するタグ装置からのみ発信させることを特徴とする請求項２記載のケーブル検知システム。
【請求項４】
赤外線信号に乗せて検索光発信指令を発信する携帯用の赤外線信号発信装置を有し、該赤外線信号発信装置は検索光発信対象のタグ装置に対する検索光発信指令を乗せた赤外線信号を複数のタグ装置に発信する構成を持つことを特徴とする請求項２または請求項３記載のケーブル検知システム。
【請求項５】
光ファイバは、拡散光発生傷を付けることに代えて、通過する光を外部に透過する光外部透過構成を有する光ファイバとしたことを特徴とする請求項１乃至請求項４のいずれか一つに記載のケーブル検知システム。
【請求項６】
請求項２乃至請求項５のいずれか一つに記載のケーブル検知システムに適用されるタグ装置であって、光ファイバの光導入部を挿入する挿入部と、前記光ファイバに通す検索光を発信する光発信部と、タグ装置に向けて外部から発信される赤外線信号を受けて光起電力動作を行う光起電力動作部と、タグ装置に接続された光ファイバが取り付けられているケーブルの識別データを格納するメモリ部と、該メモリ部に格納された識別データに基づきタグ装置が赤外線信号の検索光発信指令に対応するときには前記光発信部を前記光起電力動作部の起電力によって作動させる光発信制御部とが設けられていることを特徴とするタグ装置。
【請求項７】
光発信部は赤色の光を発信する赤色発光ダイオードと青色の光を発信する青色発光ダイオードと緑色の光を発信する緑色発光ダイオードのうち少なくとも２つの発光ダイオードを有し、光発信制御部は、検索光を発信するタグ装置と該タグ装置の光発信部から発信する検索光色とを指定する検索光発信指令を乗せてタグ装置に向けて発信される赤外線信号の前記検索光発信指令とタグ装置のメモリ部に格納された識別データとに基づき前記検索光発信指令に対応するタグ装置の光発信部の対応する色の発光ダイオードを作動させることを特徴とする請求項６記載のタグ装置。
【発明の詳細な説明】
【技術分野】
【０００１】
本発明は、例えばケーブルの密集した貫通孔部分のケーブル位置とケーブル番号を一致させるため等に用いられるケーブル検知システムおよびそのケーブル検知システムに適用されるタグ装置に関するものである。
【背景技術】
【０００２】
例えば船体、高層ビル等に設けられる電気系統のケーブルは、天井部位等に、室内を通して多数（例えば５０本以上）密集敷設されており、図８に示すように、室貫通部（室内を仕切る仕切り部に形成された貫通孔２０の形成部分）において、各ケーブル７が、図９に示すようなケーブル保持枠（例えば格子状の枠）５に１本ずつ通して敷設されている。なお、図８は、図を分かりやすくするために、ケーブル７、ケーブル保持枠５等の数を少なめに省略して示している。
【０００３】
このような密集敷設されたケーブル７が、どの位置にどのような配列順で敷設されているかを確認し、貫通孔２０のケーブル保持枠のどの位置にどのケーブル７が敷設されているかを検知して、標示板作成を行うことが行われている。この標示板は、図９に対応するようなケーブル保持枠５の図表と、例えば（表１）に示すような表とを組にして設け、両者を対比することによって、ケーブル敷設位置とケーブル番号とを把握できるようにするものである。
【０００４】
【表１】
2007286558.tif 000003
【０００５】
表１は、各ケーブル保持枠５の位置を、図９の縦軸に示したアルファベットと横軸に示した数字との交差位置によって、例えばＡ１の位置、Ａ２の位置、というように表し、各ケーブル保持枠５と、そのケーブル保持枠５に通されているケーブル７の番号とを対応させて示すことにより、どのケーブル７がどの位置に敷設されているかを一目で把握できるようになっている。
【０００６】
各ケーブル７の位置を検知するときは、従来は、図８に示すように、ケーブル番号を記入した紙製やプラスチック製の番号札４５を紐１６の一端側に付け、この紐１６の他端側を貫通孔２０に近い位置でケーブル７に結びつけ、紐１６を手繰ってケーブル７の番号を確認し、貫通孔２０の形成部分におけるケーブル７の位置と番号を一致させていた。
【発明の開示】
【発明が解決しようとする課題】
【０００７】
しかしながら、不便な場所に多数密集敷設されたケーブル７の中から、番号札４５がついた紐１６を手繰り寄せて検知対象ケーブルを検知することは非常に作業性が悪く、特に、船体等においては、貫通孔２０が形成された室内が暗く、このような暗い場所で番号札４５がついた紐１６を手繰り寄せて検知対象ケーブルを検知することは困難きわまりなかった。
【０００８】
本発明は、上記従来の課題を解決するために成されたものであり、その目的は、室内を通して複数密集敷設されている検知対象ケーブルを、たとえ室内が暗い状態であっても、容易に、かつ、的確に検知できるケーブル検知システムおよびそのケーブル検知システムに適用されるタグ装置を提供することにある。
【課題を解決するための手段】
【０００９】
上記目的を達成するために、本発明は次のような構成をもって課題を解決するための手段としている。すなわち、第１の発明のケーブル検知システムは、室内を通して密集敷設されている複数のケーブルのそれぞれに対応させて、ケーブル検知用の光ファイバを取り付けて垂らし、該光ファイバには該光ファイバに通される光を拡散させて光ファイバ外部に発する拡散光発生傷を垂らした光ファイバの長手方向に間隔を介して複数または連続的に形成し、前記光ファイバの垂らした先端部は検索光の光導入部と成し、各ケーブルから垂らされた各光ファイバにはそれぞれ対応するケーブルの識別をする識別手段を設け、検知対象ケーブルに対応する光ファイバの光導入部から該光ファイバに選択的に光を通すことにより該光ファイバに形成された拡散光発生傷から発せられる拡散光をガイドとして前記光導入部から前記ケーブルへの取り付け部まで辿ることにより該光ファイバが取り付けられている前記検知対象ケーブルの検知を可能とする構成をもって課題を解決する手段としている。
【００１０】
また、第２の発明のケーブル検知システムは、室内を通して密集敷設されている複数のケーブルのそれぞれに対応させて、ケーブル検知用の光ファイバを取り付けて垂らし、該光ファイバには該光ファイバに通される光を拡散させて光ファイバ外部に発する拡散光発生傷を垂らした光ファイバの長手方向に間隔を介して複数または連続的に形成し、前記光ファイバの垂らした先端部は検索光の光導入部と成し、各ケーブルから垂らされた各光ファイバにはそれぞれタグ装置を接続し、それぞれのタグ装置には、前記光ファイバに通す検索光を発信する光発信部と、該タグ装置の外部から該タグ装置に向けて発信される赤外線信号を受けて光起電力動作を行う光起電力動作部と、タグ装置に接続された光ファイバが取り付けられているケーブルの識別データを格納するメモリ部と、該メモリ部に格納された識別データに基づきタグ装置が前記赤外線信号の検索光発信指令に対応するときには前記光起電力動作部の起電力によって前記光発信部を作動させる光発信制御部とが設けられており、前記赤外線信号の光発信指令を受けたタグ装置の光発信部からのみ光を発信して該タグ装置に接続された光ファイバの光導入部から光を導入し、該光ファイバに選択的に光を通すことにより該光ファイバに形成された拡散光発生傷から発せられる拡散光をガイドとして前記光導入部から前記ケーブルへの取り付け部まで辿ることにより該光ファイバが取り付けられている前記検知対象ケーブルの検知を可能とする構成をもって課題を解決する手段としている。
【００１１】
さらに、第３の発明のケーブル検知システムは、上記第２の発明の構成に加え、タグ装置の光発信部は、赤色の光を発信する赤色発光ダイオードと青色の光を発信する青色発光ダイオードと緑色の光を発信する緑色発光ダイオードのうち少なくとも２つの発光ダイオードを有し、赤外線信号には検索光を発信するタグ装置と該タグ装置の光発信部から発信する検索光色とを指定する検索光発信指令を乗せて発信し、該赤外線信号の検索光発信指令と前記タグ装置のメモリ部に格納された識別データとに基づき前記検索光発信指令に対応するタグ装置の光発信部の対応する色の発光ダイオードを光発信制御部が作動させて対応する色の検索光を対応するタグ装置からのみ発信させることを特徴とする。
【００１２】
さらに、第４の発明のケーブル検知システムは、上記第２または第３の発明の構成に加え、前記赤外線信号に乗せて検索光発信指令を発信する携帯用の赤外線信号発信装置を有し、該赤外線信号発信装置は検索光発信対象のタグ装置に対する検索光発信指令を乗せた赤外線信号を複数のタグ装置に発信する構成を持つことを特徴とする。
【００１３】
さらに、第５の発明のケーブル検知システムは、上記第１乃至第４のいずれか一つの発明の構成に加え、前記光ファイバは、拡散光発生傷を付けることに代えて、通過する光を外部に透過する光外部透過構成を有する光ファイバとしたことを特徴とする。
【００１４】
さらに、第６の発明のタグ装置は、上記第２乃至第５のいずれか一つの発明のケーブル検知システムに適用されるタグ装置であって、光ファイバの光導入部を挿入する挿入部と、前記光ファイバに通す検索光を発信する光発信部と、タグ装置に向けて外部から発信される赤外線信号を受けて光起電力動作を行う光起電力動作部と、タグ装置に接続された光ファイバが取り付けられているケーブルの識別データを格納するメモリ部と、該メモリ部に格納された識別データに基づきタグ装置が赤外線信号の検索光発信指令に対応するときには前記光発信部を前記光起電力動作部の起電力によって作動させる光発信制御部とが設けられていることを特徴とする。
【００１５】
さらに、第７の発明のタグ装置は、上記第６の発明の構成に加え、前記光発信部は赤色の光を発信する赤色発光ダイオードと青色の光を発信する青色発光ダイオードと緑色の光を発信する緑色発光ダイオードのうち少なくとも２つの発光ダイオードを有し、光発信制御部は、検索光を発信するタグ装置と該タグ装置の光発信部から発信する検索光色とを指定する検索光発信指令を乗せてタグ装置に向けて発信される赤外線信号の前記検索光発信指令とタグ装置のメモリ部に格納された識別データとに基づき前記検索光発信指令に対応するタグ装置の光発信部の対応する色の発光ダイオードを作動させることを特徴とする。
【発明の効果】
【００１６】
第１〜第４の発明のケーブル検知システムにおいては、室内を通して密集敷設されている複数のケーブルのそれぞれに対応させてケーブル検知用の光ファイバが取り付けられて垂らしてあるが、この光ファイバの先端部は検索光の光導入部と成しており、また、光ファイバには、光ファイバに通される光を拡散させて光ファイバ外部に発する拡散光発生傷が光ファイバの長手方向に間隔を介して複数または連続的に形成されている。
【００１７】
そして、前記光ファイバの光導入部から光ファイバに選択的に光を通すことにより、本発明のケーブル検知システムは、光ファイバに形成された拡散光発生傷から発せられる拡散光をガイドとして前記光導入部から前記ケーブルへの取り付け部まで辿ることによって、たとえ前記室内が暗い場所であっても、また、明るい場所であっても、光を通した光ファイバが取り付けられている前記検知対象ケーブルの検知を、容易に、かつ、正確に行えるようにすることができる。
【００１８】
なお、第１の発明においては、ケーブルから垂らされた各光ファイバにはそれぞれ対応するケーブルの識別をする識別手段が接続されているので、この識別手段に基づいて検知対象ケーブルに対応する光ファイバを選択し、この光ファイバに選択的に光を通すことにより、上記のように、光ファイバに形成された拡散光発生傷から発せられる拡散光をガイドとして前記光導入部から前記ケーブルへの取り付け部まで辿ることにより該光ファイバが取り付けられている前記検知対象ケーブルの検知を可能とすることができる。
【００１９】
また、第２の発明においては、ケーブルから垂らされた各光ファイバにはそれぞれタグ装置が接続されており、赤外線信号の光発信指令を受けたタグ装置の光発信部からのみ光を発信して該タグ装置に接続された光ファイバの光導入部から光を導入し、該光ファイバに選択的に光を通すことにより該光ファイバに形成された拡散光発生傷から発せられる拡散光をガイドとして前記光導入部から前記ケーブルへの取り付け部まで辿ることにより、該光ファイバが取り付けられている前記検知対象ケーブルの検知を可能とすることができる。
【００２０】
さらに、ケーブル検知用の各光ファイバにタグ装置を接続して成る本発明のケーブル検知システムにおいて、タグ装置の光発信部は、赤色、青色、緑色発光ダイオードのうち少なくとも２つの発光ダイオードを有し、赤外線信号の検索光発信指令に対応するタグ装置の光発信制御部が、光発信部の対応する色の発光ダイオードを作動させ、対応する色の検索光を対応するタグ装置からのみ発信させる構成によれば、一度に複数本の光ファイバから互いに異なる色の光を発することができ、一度に複数本のケーブルを検知することができる。そのため、この構成のケーブル検知システムは、効率的にケーブル検知を行うことができる。
【００２１】
さらに、ケーブル検知用の各光ファイバにタグ装置を接続して成る本発明のケーブル検知システムにおいて、赤外線信号に乗せて光発信指令を発信する携帯用の赤外線信号発信装置を有しているので、例えばケーブルの敷設場所が狭い室内であっても、赤外線信号発信装置を携帯し、複数のタグ装置に向けて同時に赤外線信号を発信して、光発信指令に対応するタグ装置からのみ光を発信させ、ケーブル検知を的確に行うことができる。
【００２２】
さらに、本発明のケーブル検知システムにおいて、光ファイバは、拡散光発生傷を付けることに代えて、通過する光を外部に透過する光外部透過構成を有する光ファイバとした構成によれば、光ファイバに通した光を光外部透過構成によって外部に透過できるので、この光をガイドとして、光ファイバの光導入部からケーブルへの取り付け部まで辿ることにより、該光ファイバが取り付けられている検知対象ケーブルの検知を、容易に、かつ、的確にできる。
【００２３】
さらに、本発明のタグ装置は、外部からタグ装置に向けて発信される赤外線信号を受けて光起電力動作を行う光起電力動作部を有しているので、電池等の電源を必要とせず、電源のメンテナンス等の面倒をなくすことができ、タグ装置の極小型化、極軽量化を図ることができる。したがって、タグ装置のケーブル検知用光ファイバへの取り付けや取り外しも容易に行うことができ、上記優れた効果を発揮できるケーブル検知システムの実現を図ることができる。
【００２４】
さらに、本発明のタグ装置において、赤色、青色、緑色発光ダイオードのうち少なくとも２つの発光ダイオードを有し、赤外線信号の検索光発信指令に対応するタグ装置の光発信制御部が、光発信部の対応する色の発光ダイオードを作動させ、対応する色の検索光を対応するタグ装置からのみ発信させる構成によれば、一度に複数本のケーブル検知が可能な効率的なケーブル検知システムの実現を図ることができる。
【発明を実施するための最良の形態】
【００２５】
以下、本発明の実施の形態を、図面を参照して説明する。なお、本実施形態例の説明において、従来例と同一名称部分には同一符号を付し、その重複説明は省略または簡略化する。図１には、本発明に係るケーブル検知システムの一実施形態例が模式的な説明図により示されている。
【００２６】
同図に示すように、本実施形態例のシステムは、室内を通して密集敷設されている複数のケーブル７のそれぞれに対応させて、ケーブル検知用のプラスチック製の光ファイバ２を取り付けて垂らし、各ケーブル７から垂らされた各光ファイバ２の先端部にはタグ装置１を設けるとともに、このタグ装置１に向けてタグ装置１の外部から赤外線信号を発信（投光）する携帯用の赤外線信号発信装置１５を有して形成されている。
【００２７】
それぞれのケーブル検知用の光ファイバ２には、図３に示すように、光ファイバ２に通される光を拡散させて光ファイバ外部に発する拡散光発生傷３を、垂らした光ファイバ２の長手方向に間隔を介して複数形成している。また、光ファイバ２の垂らした先端部は検索光の光導入部４と成しており、この光導入部４にそれぞれ前記タグ装置１が接続されている。
【００２８】
各タグ装置１には、図２に示すように、前記光ファイバ２の光導入部４（先端部）を挿入する挿入部１２が設けられており、この挿入部１２に光ファイバ２の光導入部４が着脱自在に挿入されている。なお、図２は、説明を分かりやすくするために、３本のケーブル７と３個のタグ装置１のみを示しており、ケーブル７の長手方向に互いに広い間隔を介して各タグ装置１を取り付けた状態としているが、実際には、図１に示したように、ケーブル７は多数密集敷設され、タグ装置１もケーブル７の本数に対応させて多数設けられている。
【００２９】
各タグ装置１は、光起電力動作部８と、メモリ部９と、光発信制御部１０と、光発信部１１とを有している。これらの各構成要素は、例えば基板上に実装された各素子により形成され、基板と共にケース内に収容されている。
【００３０】
光起電力動作部８は、外部からタグ装置１に向けて発信される赤外線信号を受けて、光起電力動作を行うものである。光起電力動作部８は、起電力発生用の受光ダイオードとして機能する発光ダイオード（例えば超高輝度発光ダイオードであるＧａＡｌＡｓ系の発光ダイオード）により形成することもできるし、例えばシリコンフォトダイオード等の受光ダイオードにより形成することもできる。
【００３１】
なお、ＧａＡｌＡｓ系の発光ダイオードは、通常、光を発するものであるが、光を発しない状態として光を受けること、つまり、受光ダイオードとして機能させることができるものであり、赤外線の光を受けて大きな電力を発生させることができる利点がある。この電力は、約１．５Ｖであり、通常のマンガン乾電池並の大きな値（シリコンフォトダイオードが発生する電力のほぼ３倍の値）である。一方、シリコンフォトダイオードは、安価で製造がしやすいという利点があり、本実施形態例では、シリコンフォトダイオードを適用している。
【００３２】
メモリ部９は、タグ装置１に接続された光ファイバ２（ケーブル検知用の光ファイバ）が取り付けられているケーブル７の識別データを格納するものである。
【００３３】
光発信制御部１０は、メモリ部９に格納された識別データに基づき、タグ装置１が赤外線信号の光発信指令に対応するときには前記光発信部１１を作動させるものであり、光発信制御部１０は、光起電力動作部８の起電力によって動作する。
【００３４】
光発信部１１は、挿入部１２に挿入された光ファイバ２に通す光（検索光）を発信するものであり、光発信部１１は、例えば可視光を発信する発光ダイオード（例えばＧａＡｓ系やＳｉＣ系の発光ダイオード）により形成されている。光発信部１１は、光起電力動作部８の起電力によって動作し、可視光を発信する。
【００３５】
また、前記赤外線信号発信装置１５は、光発信対象のタグ装置１に対する光発信指令を乗せた赤外線信号を複数のタグ装置１に発信する構成を持つものであり、赤外線信号発信装置１５は、例えば複数の発光ダイオードを有して形成されている。
【００３６】
本実施形態例のケーブル検知システムは、上記のような構成要素を有し、赤外線信号発信装置１５から赤外線信号の光発信指令を受けたタグ装置１の光発信部からのみ光を発信し、該タグ装置１に接続された光ファイバ２の光導入部４から光を導入して該光ファイバ２に選択的に光を通すことにより、該光ファイバ２に形成された拡散光発生傷３から発せられる拡散光をガイドとして前記光導入部４から前記ケーブル７への取り付け部まで辿ることにより該光ファイバ２が取り付けられている検知対象ケーブル７の検知を可能とすることを特徴とする。
【００３７】
本実施形態例は以上のように構成されており、ケーブル検知を行うときには、例えば図１に示すように、赤外線信号発信装置１５から、光発信対象のタグ装置１に対する光発信指令（つまり、検知対象ケーブル７を指定するためのケーブル指定指令）を乗せた赤外線信号を複数のタグ装置１に発信する。
【００３８】
そうすると、タグ装置１がこの赤外線信号を受けて、図２に示すように、それぞれのタグ装置１（図２においては、１ａ，１ｂ，１ｃ）の光起電力動作部がいずれも電力を発生し（起電力動作を行い）、その電力で、それぞれのタグ装置１（１ａ，１ｂ，１ｃ）の光発信制御部１０が作動する。
【００３９】
そして、各光発信制御部１０は、タグ装置１（１ａ，１ｂ，１ｃ）の各メモリ部９に格納されているケーブル識別情報（ここでは、Ｎｏ．１〜Ｎｏ．３）と、前記赤外線信号に含まれるケーブル指定指令とを比較し、両者が合っている場合のみ、光発信部１１に光発信指令を加えて、光発信部１１を作動させる。
【００４０】
例えば、ケーブル指定指令がＮｏ．２のケーブルを指定する指令であるとすると、ここでは、タグ装置１ｂのメモリ部９に格納されているケーブル識別情報と一致するので、タグ装置１ｂが光発信対象のタグ装置であり、指定されたケーブル指定指令に対応するタグ装置１ｂのみ、光発信部１１を作動させ、タグ装置１ｂの光発信部１１からのみ光が発信され、このタグ装置１ｂに接続されている光ファイバ２（２ｂ）のみが拡散光発生傷３から光（拡散光）を発する。
【００４１】
そこで、この拡散光をガイドとして前記光導入部４から前記ケーブル７への取り付け部まで辿ることにより該光ファイバ２ｂが取り付けられている検知対象ケーブル７が検知できる。
【００４２】
なお、他のタグ装置１ａ，１ｂが発信対象のタグ装置であった場合には、上記と同様に、図２の破線矢印に示すように、指定されたケーブル指定指令に対応するタグ装置１の光発信制御部１０が光発信部１１を作動させ、そのタグ装置１に接続されている光ファイバ２のみが拡散光発生傷３から拡散光を発するので、この拡散光をガイドとして前記光導入部４から前記ケーブル７への取り付け部まで辿ることにより、該光ファイバ２が取り付けられている検知対象ケーブル７の検知ができる。
【００４３】
本実施形態例によれば、室内を通して密集敷設されている複数のケーブル７のそれぞれに対応させて、ケーブル検知用の光ファイバ２を取り付けて垂らし、この光ファイバ２の先端部の光導入部４にそれぞれタグ装置１を接続し、赤外線信号の光発信指令を受けたタグ装置１の光発信部１１からのみ光（可視光）を発信して光ファイバ２の光導入部４から光ファイバ２に選択的に光を通すことにより、該光ファイバ２に形成された拡散光発生傷３から発せられる拡散光の可視光をガイドとして前記光導入部４からケーブル７への取り付け部まで辿ることにより、光ファイバ２が取り付けられている前記検知対象ケーブル７の検知を的確に行うことができる。
【００４４】
また、本実施形態例によれば、上記のように、光ファイバ２に通す光の拡散光発生傷３から発せられる拡散光をガイドとして検知対象ケーブル７の検知を行うので、たとえケーブル７の露出している室内が、船体内のような暗い場所であっても、容易に、かつ、正確に検知対象ケーブル７の検知を行うことができるし、もちろん明るい場所でも的確に、検知対象ケーブル７の検知を行うことができる。
【００４５】
さらに、本実施形態例によれば、携帯用の赤外線信号発信装置１５を用いて複数のタグ装置１への赤外線信号の投光を行うので、例えばケーブルの敷設場所が狭い室内であっても、赤外線信号発信装置１５を携帯し、複数のタグ装置１に向けて同時に赤外線信号を発信して、光発信指令に対応するタグ装置１からのみ光を発信させ、検知対象ケーブル７の検知を的確に行うことができる。
【００４６】
さらに、本実施形態例によれば、検知用の光ファイバ２は、プラスチック製の光ファイバとしており、プラスチック製の光ファイバは市販もされているので、このような市販の光ファイバ２を用いることにより、システムのコストダウンを図ることができる。
【００４７】
さらに、本実施形態例によれば、タグ装置１は、外部からタグ装置１に向けて発信される赤外線信号を受けて光起電力動作を行う光起電力動作部８を有しているので、電池等の電源を必要とせず、電源のメンテナンス等の面倒をなくすことができ、タグ装置１の極小型化、極軽量化を図ることができる。したがって、タグ装置１のケーブル検知用光ファイバ２への取り付けや取り外しも容易に行うことができ、優れたケーブル検知システムの実現を図ることができる。
【００４８】
さらに、本実施形態例によれば、光起電力動作部８をシリコンフォトダイオードにより形成しているので、タグ装置１を安価にできる。
【００４９】
さらに、本実施形態例によれば、光ファイバ２は、タグ装置１の挿入部１２に着脱自在に挿入されているので、タグ装置１を光ファイバ２から容易に取り外すことができる。そのため、例えば標示板形成時などに本実施形態例のケーブル検知システムを適用し、全てのケーブル７の検知が終了した後には、タグ装置１を取り外し、別の機会にタグ装置１を利用することもでき、使い勝手を良好にできる。
【００５０】
なお、タグ装置１に、メモリ部９の格納データを書き替えできる構成を設けておくことにより、ケーブル検知毎に、光ファイバ２を取り付けるケーブル７に対応する適宜の識別データをメモリ部９に格納して適切にケーブル検知を行うことができる。
【００５１】
なお、本発明は上記実施形態例に限定されることはなく、様々な実施の態様を採り得る。例えば、上記実施形態例では、光ファイバ２に形成する拡散光発生傷３を、垂らした光ファイバ２の長手方向に間隔を介して複数形成したが、拡散光発生傷３は、光ファイバ２の長手方向に連続的に形成してもよい。
【００５２】
また、図４に示すように、ケーブル検知用の光ファイバ２の光導入部４には、対応するケーブル７の識別をする識別手段（例えば紙製やプラスチック製の番号札４５）を設け、番号札４５等の識別手段を光ファイバ２の光導入部４（先端部）に取り付けてから、対応するタグ装置１を光ファイバ２の光導入部４に接続し、標示板作成等を行うようにしてもよい。
【００５３】
この場合、標示板作成後にも番号札４５とタグ装置１を光ファイバ２に取り付けたままとしてもよいし、番号札４５のみを外してもよく、また、タグ装置１を外してもよい。
【００５４】
例えばタグ装置１を外しても、番号札４５等の識別手段を取り付けた状態としておけば、ケーブルの敷設状態を後に確認する場合には識別手段によって光ファイバ２の光導入部４においてケーブル７の識別が可能となるので、この識別に基づき、検知対象ケーブル７に対応する光ファイバの光導入部４から該光ファイバ２に選択的に光を通すことにより、該光ファイバ２に形成された拡散光発生傷３から発せられる拡散光をガイドとして前記光導入部４から前記ケーブル７への取り付け部まで辿ることにより該光ファイバ２が取り付けられている前記検知対象ケーブル７の検知を可能とすることができる。
【００５５】
さらに、本発明のケーブル検知システムは、ケーブル検知用の光ファイバ２の光導入部４に、対応するケーブル７の識別をする識別手段（例えば紙製やプラスチック製の番号札４５）を設け、この識別手段の情報（例えば番号）に基づいて、可視光の投光器等を用いて光ファイバ２の光導入部４から可視光を導入し、ケーブル検知を行うシステムとしてもよい。
【００５６】
さらに、上記実施形態例では、ケーブル７に取り付けられた光ファイバ２の１本ずつに選択的に、順次、検索光を導入して、光ファイバ２に対応するケーブル７を１本ずつ検知する構成としたが、例えばタグ装置１を図５に示すような構成とすることにより、複数の光ファイバ２に互いに異なる色の検索光を導入し、一度に複数本ずつケーブル７の検知を行うことができる。
【００５７】
つまり、例えばタグ装置１の光発信部１１は、赤色の光を発信する赤色発光ダイオードと青色の光を発信する青色発光ダイオードと緑色の光を発信する緑色発光ダイオードのうち少なくとも２つの発光ダイオード（ここでは３つの発光ダイオード）有する構成とする。また、タグ装置１には、これらの各発光ダイオード２１，２２，２３から発信する光を合波する光合波部１２と、各発光ダイオード２１，２２，２３のスイッチ１７，１８，１９を設ける。
【００５８】
そして、赤外線信号発信装置１５等から発信する赤外線信号には、検索光を発信するタグ装置１と該タグ装置１の光発信部１１から発信する検索光色とを指定する検索光発信指令（つまり、検知対象ケーブル７と、その検知対象ケーブル７に対応する光ファイバ２から発散させる光の色を指定するための指定指令）を乗せて発信する。
【００５９】
例えばケーブルＮｏ．１に対応する（取り付けられている）光ファイバ２には赤色の光を、ケーブルＮｏ．２に対応する光ファイバ２には青色の光を、ケーブルＮｏ．３に対応する光ファイバ２には緑色の光を導入することとし、その指定指令を赤外線信号発信装置１５等から複数のタグ装置１に向けて発信する。
【００６０】
そうすると、例えば、図２に示したように、タグ装置１（１ａ，１ｂ，１ｃ）の各メモリ部９に格納されているケーブル識別情報が、Ｎｏ．１、Ｎｏ．２、Ｎｏ．３であり、タグ装置１ａ，１ｂ，１ｃがそれぞれ、図５に示す構成を有している場合、タグ装置１ａにおいては、光発信制御部１０はスイッチ１７のみをオンして赤色発光ダイオード２１から赤色の光を発信し、同様に、タグ装置１ｂにおいては、光発信制御部１０はスイッチ１８のみをオンして青色発光ダイオード２２から青色の光を発信し、タグ装置１ｃにおいては、光発信制御部１０はスイッチ１９のみをオンして緑色発光ダイオード２３から緑色の光を発信する。
【００６１】
そして、前記各色の光を、光合波部１２を介して光ファイバ２に入射することにより、タグ装置１ａから光ファイバ２ａに赤色の検索光を通し、タグ装置１ｂから光ファイバ２ｂに青色の検索光を通し、タグ装置１ｃから光ファイバ２ｃに緑色の検索光を通し、図６に示すように、３本の光ファイバ２ａ，２ｂ，２ｃにそれぞれ形成された拡散光発生傷３から同時に互いに異なる色の検索光を発して、同時に３本の光ファイバ２ａ，２ｂ，２ｃに対応するケーブル７を検索する。
【００６２】
上記のように構成すると、３本の光ファイバ２に互いに異なる色の検索光を導入することにより、一度に３本ずつケーブル７の検知を行うことができるので、ケーブル検知効率を向上させることができる。
【００６３】
なお、３つの発光ダイオード２１，２２，２３を全てオンすると、光発信部１１から白色光を発することができるので、上記のように、赤、青、緑色の検索光を対応する光ファイバ２ａ，２ｂ，２ｃに通すことに加え、検知対象ケーブル７に対応する光ファイバ２から白色光を発散させるための指定指令を前記赤外線信号に乗せて発信して、対応するタグ装置１の光発信制御部１０がスイッチ１７，１８，１９を全てオンして光発信部１１から白色光を発信させれば、一度に４本ずつケーブル７の検知を行うことができるので、さらに、ケーブル検知効率を向上させることができる。
【００６４】
また、タグ装置１は、３つの発光ダイオード２１，２２，２３のうち、２つの発光ダイオードのみを設けて光発信部１１を形成してもよく、この場合は、一度に２本ずつケーブル７の検知を行うことができ、１本ずつケーブル７を検知するよりもケーブル検知効率を向上させることができる。
【００６５】
さらに、上記実施形態例では、複数のケーブルのそれぞれに対応させて取り付けたケーブル検知用の光ファイバ２毎に１つずつタグ装置１を接続したが、本発明は、例えば図７（ａ）に示すように、ケーブル検知用として各ケーブル７に取り付けた複数の光ファイバ２に、共通のタグ装置１を接続し、このタグ装置１と光ファイバ２とを用いてケーブル検知を行うシステムとすることもできる。
【００６６】
この場合、タグ装置１には、光起電力動作部８と、図７（ｂ）に示すように、個別に光を発信可能な複数の光発信部１１（１１ａ１〜１１ａｎ）と、それぞれの光発信部１１ａ１〜１１ａｎからの光発信の有無を制御する光発信制御部１０と、メモリ部９とを設け、前記各光発信部１１ａ１〜１１ａｎにそれぞれ対応する光ファイバ２の光導入部４を接続し、前記メモリ部９には、それぞれの光発信部１１ａ１〜１１ａｎに接続された光ファイバ２が取り付けられているケーブルの識別データを、各光発信部１１ａ１〜１１ａｎと対応させたデータとして格納する。なお、図７（ｂ）は、図７（ａ）の破線枠Ａ内を拡大して示す図である。
【００６７】
そして、光発信制御部１０は、メモリ部９に格納された識別データに基づき、赤外線信号の検索光発信指令に対応する光発信部１１を光起電力動作部８の起電力によって作動させ、前記赤外線信号の光発信指令に対応する光発信部１１からのみ光を発信して、この光発信部１１に接続された光ファイバ２の光導入部４から光を導入する。
【００６８】
例えば、ケーブルＮｏ．１を検索する場合には、ケーブルＮｏ．１に対応する光発信部１１ａ１からのみ検索光を発信し、ケーブルＮｏ．２を検索する場合には、ケーブルＮｏ．２に対応する光発信部１１ａ２からのみ検索光を発信するといったようにする。
【００６９】
このようにして、光ファイバ２に選択的に光を通すことにより、この光ファイバ２に形成された拡散光発生傷３から発せられる拡散光をガイドとして、前記光導入部４からケーブル７への取り付け部まで辿ることにより、１つのタグ装置１を用いても、各光ファイバ１が取り付けられている検知対象ケーブル７の検知を行うことができる。
【００７０】
さらに、上記実施形態例では、ケーブル検知用の光ファイバ２はプラスチック製としたが、光ファイバ２はガラス製でもよく、また、光ファイバ２には、拡散光発生傷３を付けることに代えて、通過する光を外部に透過する光外部透過構成を有する光ファイバとしてもよい。この場合、この透過光をガイドとして光ファイバ２の光導入部４から前記ケーブル７への取り付け部まで辿ることにより、光ファイバ２が取り付けられている前記検知対象ケーブル７の検知を可能とすることができる。
【００７１】
さらに、本発明のケーブル検知システムは、電気系統以外のケーブル７であっても、様々な密集敷設された複数のケーブル７を検知するときに適用できるものである。
【図面の簡単な説明】
【００７２】
【図１】本発明に係るケーブル検知システムの一実施形態例を模式的に示す説明図である。
【図２】上記実施形態例のケーブル検知システムの動作例を模式的に示す説明図である。
【図３】上記実施形態例のシステムに適用される光ファイバの例を示す説明図である。
【図４】本発明に係るケーブル検知システムの他の実施形態例を模式的に示す説明図である。
【図５】本発明に係るケーブル検知システムのさらに他の実施形態例に適用されるタグ装置の構成を模式的に示す説明図である。
【図６】図５に示したタグ装置を適用したケーブル検知システムの例を示す説明図である。
【図７】本発明に係るケーブル検知システムのさらにまた他の実施形態例（ａ）と、その実施形態例に用いられるタグ装置とその周辺構成（ｂ）を、それぞれ模式的に示す説明図である。
【図８】船室等に設けられる電気系統のケーブルの敷設状態と従来のケーブル検知方法を模式的に示す説明図である。
【図９】貫通孔のケーブル保持枠に密集敷設されたケーブルの敷設例を断面図により模式的に示す説明図である。
【符号の説明】
【００７３】
１  タグ装置
２  光ファイバ
３  拡散光発生傷
４  光導入部
５  ケーブル保持枠
７  ケーブル
８  光起電力動作部
９  メモリ部
１０  光発信制御部
１１  光発信部
１２  挿入部
１５  赤外線信号発信装置
２０  貫通孔
【図１】
2007286558.tif 000004
【図２】
2007286558.tif 000005
【図３】
2007286558.tif 000006
【図４】
2007286558.tif 000007
【図５】
2007286558.tif 000008
【図６】
2007286558.tif 000009
【図７】
2007286558.tif 000010
【図８】
2007286558.tif 000011
【図９】
2007286558.tif 000012